(57)【要約】本発明は、液体包装製品用の飲用容器を具え、飲用容器がビンの開口部に係合且つ密封するよう構成される。飲用容器が、壊し易い結合部を設けており、この結合部が、（ａ）飲用容器をビンに嵌めてビンを密封した場合にビンに係合し、（ｂ）続いて飲用容器をビンから取り外した場合にビンに残る。好適には、ビンに係合するよう構成された壊し易い結合部は、リング状である。別の態様では、本発明は、少なくとも１の飲用容器と、飲用容器に係合するよう構成された少なくとも１のビンとを設けた液体包装製品を具える。【選択図】図４
2008529905.tif 000002
【特許請求の範囲】
【請求項１】
液体包装製品用の飲用容器であって、
前記飲用容器が、ビンの開口部に係合且つ密封するよう構成され、
前記飲用容器が、（ａ）前記飲用容器を前記ビンに嵌めて前記ビンを密封した場合に前記ビンと係合し、
（ｂ）続いて、前記飲用容器を前記ビンから取り外した場合に前記ビンに残るよう構成された、壊し易い結合部を設けていることを特徴とする飲用容器。
【請求項２】
前記ビンに係合するよう構成された前記壊し易い結合部が、リング状であることを特徴とする請求項１に記載の飲用容器。
【請求項３】
前記壊し易い結合部が、前記飲用容器に前記壊し易い結合部を結合する材料の脆弱なラインの形状であることを特徴とする請求項１又は２に記載の飲用容器。
【請求項４】
前記飲用容器が、前記壊し易い結合部が前記ビンに係合した場合に、前記壊し易い結合部を僅かに伸長させることのできる大きさ及び形状からなることを特徴とする請求項１から３のいずれか１項に記載の飲用容器。
【請求項５】
前記飲用容器が、ツーピース構造でできていることを特徴とする請求項１から４のいずれか１項に記載の飲用容器。
【請求項６】
前記ツーピースの飲用容器の各ピースが、前記飲用容器の前記ツーピースの間に機械的結合部を実現できるよう構成されていることを特徴とする請求項５に記載の飲用容器。
【請求項７】
前記機械的結合部が前記ツーピースの飲用容器の一方に突起部材を有し、前記突起部材が前記ツーピースの飲用容器の他方の凹部又は複数の凹部に係合するよう構成されていることを特徴とする請求項５又は６に記載の飲用容器。
【請求項８】
前記ツーピースの飲用容器の各ピースが、前記飲用容器の２つのピースの間に漏れ防止シールを形成するよう構成されていることを特徴とする請求項５から７のいずれか１項に記載の飲用容器。
【請求項９】
実質的に本書によって特定される少なくとも１の飲用容器と、前記飲用容器に係合するよう構成された少なくとも１のビンとを設けたことを特徴とする液体包装製品。
【請求項１０】
前記ビンが、前記飲用容器の壊し易い結合部に係合するような形状からなることを特徴とする請求項９に記載の液体包装製品。
【発明の詳細な説明】
【技術分野】
【０００１】
本発明は、液体包装製品、特に、単一サーバのソフトドリンク及びアルコール飲料用の飲料包装製品に関するが、これに限らない。
【背景技術】
【０００２】
また、本発明の出願人は、ニュージーランド特許出願番号第５２７１９５号の出願人であり、多年にわたり、単一サーバ用の飲料の包装システムの開発に取り組んでいる。本発明は、上記の特許出願に記載されたシステムに対する大きな展開に関する。
【０００３】
課題は、ビン及び飲用容器の双方を含む飲料包装製品に使用する不正開封防止シールを発明することである。このような課題を解決するための初期の試みは、飲用容器の口及びビンの本体との間の結合部を覆って取り付けられた紙又はプラスチックの包装の使用を含んでいた。
【０００４】
しかしながら、このようなタイプのシールは多くの問題を有している。それは、追加的な物品の使用を必要としており、このような追加的な物品を、飲料のパッケージに充填及びこれを密封するために使用する生産ラインに、追加的な別の工程によって取り付けなければならない。このような追加的な材料及び生産工程は、各包装飲料を製造するコストを増大させる。
【０００５】
また、包装を開ける場合に包装飲料から取り外された不正開封防止シールは、問題である。飲料を開ける者は、一方の手でビンを持って他方の手で飲用容器を持つため、他方の品が邪魔になってゴミになる原因になる可能性がある。このような問題は、飛行機でシートにすわった乗客にドリンクを提供する場合に深刻な可能性があり、引きはがしたシールは、さらに触るのを嫌がって、多くの場合、床の上又は座席のクッションの下等に置かれる。
【発明の開示】
【発明が解決しようとする課題】
【０００６】
このため、本発明の目的は、上記の問題を克服するのにいくらか助けになる液体包装製品を提供することであり、少なくとも人々に有用な選択肢を提供することである。
【課題を解決するための手段】
【０００７】
このため、第１の態様では、本発明は、概して、液体包装製品用の飲用容器にあると言ってよく、飲用容器が、ビンの開口部に係合且つ密封するよう構成され、飲用容器が、（ａ）飲用容器をビンに嵌めてビンを密封した場合にビンと係合し、（ｂ）続いて、飲用容器をビンから取り外した場合にビンに残るよう構成された、壊し易い結合部を設けている。
【０００８】
好適には、ビンに係合するよう構成された壊し易い結合部が、リング状である。リングは、ビンの外周の畝部又は同じような突起部の上に嵌ってビンに係合できて、飲用容器を取り外した後にリングをビンにそのまま残すことができるため、都合が良い。
【０００９】
好適には、壊し易い結合部が、飲用容器に壊し易い結合部を結合する材料の脆弱なラインの形状である。これにより、壊し易い結合部を飲用容器、又は少なくとも飲用容器の一部と一体的に製造できる。
【００１０】
好適には、飲用容器が、壊し易い結合部がビンに係合した場合に、壊し易い結合部を僅かに伸長させることのできる大きさ及び形状からなる。
【００１１】
好適には、飲用容器が、ツーピース構造でできている。ツーピース構造により、異なる材料を使用して容器の異なる部分に適合できるが、例えば、軟らかいプラスチック材料を、壊し易い結合部を形成してビンに係合させるのに用いるベース部に選び、一方、外形及び感触を改良するために透明な硬質プラスチック材料を使用して飲用容器の本体を形成できる。
【００１２】
好適には、ツーピースの飲用容器の各ピースが、飲用容器のツーピースの間に機械的結合部を実現できるよう構成されている。
【００１３】
好適には、機械的結合部が、ツーピースの飲用容器の一方に突起部材を有し、突起部材がツーピースの飲用容器の他方の凹部又は複数の凹部に係合するよう構成されている。
【００１４】
好適には、ツーピースの飲用容器の各ピースが、飲用容器の２つのピースの間に漏れ防止シールを形成するよう構成されている。
【００１５】
追加的に、ツーピースの飲用容器のピースが、飲用容器の２つのピース間の溶接結合部を実現できるよう構成される。
【００１６】
第２の態様では、本発明が、概して、実質的に本書によって特定される少なくとも１の飲用容器と、飲用容器に係合するよう構成された少なくとも１のビンとを設けた液体包装製品にあると言ってよい。
【００１７】
好適には、ビンが、飲用容器の壊し易い結合部に係合するような形状からなる。
【００１８】
好適には、ビンの首部に近いビンの本体の部分が、ビンの本体の残りの部分よりも小さな直径を有している。
【発明を実施するための最良の形態】
【００１９】
また、本発明は、概して、本願の明細書に言及され又は表された部品、要素及び特徴にあると個別的又は総合的に言ってよく、任意の２又はそれ以上の部品、要素又は特徴の任意又は全ての組み合わせ、及び同等のものと見分けがつく特定の数が、本書で言及されており、このような同等のものが、それらが個別に説明するように、本書に盛り込まれている。
【００２０】
ここで、本発明の好ましい一形態を、添付の図面を参照してほんの一例として説明することとする。
【００２１】
実施例１
図１から図４を参照して、飲用容器１１と、ビン１３とを有し、飲用容器１１が容器ベース１５と容器本体１７とを具える液体容器製品１０の第１の実施例を示す。飲用容器１１は、ビン１３の上部にほぼ適合する大きさ及び形状を成しており、ビン１３の上部に係合してビン１３を密封する。飲用容器１１は、飲用容器１１をビン１３から取り外した場合に、ビン１３に係合してビン１３に残る不正開封防止装置を有する。
【００２２】
図１及び図１ａを参照して、容器ベース１５を詳細に示す。容器ベース１５は、飲用容器１１を立てることのできるほぼ平らな環状の足部１９と、中にネジが設けられ開口端を有する短い円筒状を成すネジ部２１とを有する。このネジ部２１は、ビン１３の上部と係合するよう構成されており、容器ベース１５がビン１３を閉じて密封できる。また、ベース１５は、リング２３状の不正開封防止シールを有しており、製造初期にリング２３を壊し易い結合部２５によってベース１５の残りの部分に結合する。
【００２３】
本実施例では、壊し易い結合部２５が、全てのリンク２７の結合した断面領域が壊し易い結合部２５の面と平行な面のネジ部２１及びリング２３の断面領域よりも著しく小さくて、ネジ部２１とリング２３とを結合する多数のリンク２７の形を取る。壊し易い結合部２５は、他の形、例えば、軽く結合した結合部又は任意の結合部の形を取ることができ、この場合壊し易い結合部２５の断面領域がネジ部２１及びリング２３の壊し易い結合部２５の面と平行な面の断面領域よりも小さい。基本的に、壊し易い結合部２５は、壊し易い結合部２５の面に脆弱なラインを有する。
【００２４】
内側に突出した多くの突起部又は突出部２９が、リング２１の内径に形成されている。これらの突起部２９は、ビン１３の環状の畝部３１（図３参照）と係合するような大きさ及び形状を有する。突起部２９及び壊し易い結合部２５の動作を、図３及び図４を参照して以下でさらに詳細に説明することとする。
【００２５】
また、ベース１５は、例えば薄板状のアルミニウムフォイル又はプラスチックディスクといった詰め物型式のシール３３を有してもよく、ビン１３を密封し易くするのに用いる。このシール３３は、ネジ部２１の中に足部１９と対向して横たわって位置している。ベース部１５をビン１３にネジ込んで、ビン１３の上部の縁がシール３３を足部１９の内面に向けて押して圧迫すると、ビン１３を密封する。
【００２６】
図２を参照すると、首部３５と、先細状の肩部３７と、略平行部３９とを有する飲用容器本体１７が示されている。首部３５の内径は、容器ベース１５のネジ部２１の外径と整合するときに、締まり嵌めを与える大きさから成る。首部の縁４１は、容器本体１７を容器ベース１５に嵌めた場合に容器ベース１５の肩部４３（図１ａ参照）と係合可能な「Ｖ」形の突起部を有しており、容器本体１７と容器ベース１５との間の超音波溶着をし易くするよう構成されている。このような結合部は、結合部がボトルシールの外側に有るため、例えば炭酸飲料又は発泡酒によるビン１３内部の内圧に耐える必要がない。
【００２７】
代替的に、容器ベース１５と容器本体１７との間の結合部を、代替的な締結手段、例えば、接着剤又は機械的結合部を用いて実現できる。機械的結合部の一例は、図５から図７を参照して以下に記載されている。
【００２８】
肩部３７及び平行部３９は、大きさ及び形状を成しており、容器の外見、容器の内部容積、飲用容器１１がビン１３の周りに嵌ることができる必要性、組み立てた包装製品１０が良く積み重なる必要性との間の所望の妥協を実現する。図示している実施例は、飲用容器１１のベースに比較的平らな足部１９を有しているが、他の実施例では改良した外形としてより円錐状の形状を有していることを想定している。
【００２９】
首部３５及び肩部３７は、移行区間４５によって分けられている。このような移行区間４５の形状及び位置は特に内壁で重要である。これは、飲用容器１１をビン１３に取り付けた場合に飲用容器１１がビン１３の畝部３１の上を通過するときに、容器ベース１５のリング１５が膨らむことができるように、容器本体１７が移行区間４５に十分に大きな内径を有することが重要であるためである。
【００３０】
容器ベース１５及び容器本体１７は２つの部品で作られ、各部品の特別な要求に適合するような材料で各部品を製造できる。例えば、容器本体１７を外見上及び感触として透明な硬質ガラス材料で作ることができ、その一方で、容器ベース１５をより軟らかい又はより柔軟なプラスチック材料で作り、壊し易い結合部２５の要求に適合させることができる。
【００３１】
飲用容器１１の２つの部品及びビン１３としてプラスチック材料を選択することは、多くの要因を見極めた後になされる。ビン１３においては、主要な要因の１つは、ビンが内容物を保護及び保存することができるかどうかであり、例えば、ソフトドリンクに適したプラスチック材料は、ワインに適したプラスチック材料とは異なる可能性がある。透明なスチレンプラスチック材料が容器本体１７に好適であって、飲用容器に優れた外見及び感触を与えるが、代替的なプラスチック材料を使用して、容器本体１７と容器ベース１５との間の結合部において利点を与えることもできる。ベース１５は、不正開封防止リング２３と、壊し易い結合部２８とを有しており、このような品物としてプラスチック材料の選択に影響するいくつかの要素が、包装製品１０の組み立ての際にリング２３が畝部３１を通過するときにリング２３が膨らむ一方で、ベース１５を後で取り外すときに膨張に抗して壊し易い結合部２５を壊すことができる能力を有している。
【００３２】
図３を参照すると、下部４７と、中間部４９とを有するビン１３を示しており、下部４７は中間部４９よりも大きな直径を有し、双方は肩部５１によって分けられている。中間部４９の上方に、ビン１３が先細状の首部５３を有しており、首部５３の上部に環状の畝部３１が設けられ、その上方にビン１３の縁部５７に至る外部ネジ部５５が設けられている。
【００３３】
図４を参照すると、組み立てた状態における液体包装製品１０の第１の実施例を示す。飲用容器１１の平行部３９がビン１３の中間部４９の上にぴったりと嵌っていて、ビン１３の肩部５１に軽く接触するよう延びていることが見受けられる。
【００３４】
使用するときに、ビン１３に液体、例えばソフトドリンク又はワインを満たして、飲用容器１１をビンにネジ込み、飲用容器１１のネジ部２１がビン１３の外部ネジ部５５と係合し、飲用容器１１が、ビンの縁部５７がシール３３と接触して圧迫するまでビン１３にネジ込まれる。
【００３５】
飲用容器１１をビンにネジ込む際に、ビンの縁部５７がシール３３と接触する前に、リング２３、又は少なくともリング２３の突起部２９が環状の畝部３１と接触し、リング２３が膨らんでその上に嵌る。環状の畝部３１の上面３１ａを先細状であり（図３参照）、ネジ部２１とリング２３との間の圧縮荷重とともに、このようなテーパによってリング２３が環状の畝部３１の上を確実に通過する。図２を参照して上述のように、飲用容器本体１７の移行区間４５は、リング２３が畝部３１の上を通過する際にリング２３の膨らみに確実に干渉しないような形状となっている。
【００３６】
液体包装製品１０を開けるために、ビン１３を捻って飲用容器１０を開ける。容器ベース１５がビン１３から離れると、リング２３の内径の突起部２９が畝部３１の下面３１ｂ（図３参照）と接触するが、この面は先細状でないため、突起部２９が畝部３１に引っ掛かって拘束される。さらに、容器ベース１５がビン１３から離れると、リンク２７によって引張荷重が感じられ、この荷重が十分大きくなるとリンク２７が壊れる。飲用容器１１をビン１３から取り外すと、リング２３がビン１３に残り、畝部３１によってビンから離れるを防ぐ。
【００３７】
リング２３がネジ部２１に取り付けられていると、液体包装製品１０をまだ開けていないという証拠を与える。好適には、飲用容器本体１７は、飲用容器１１をビン１３に嵌めている間、壊し易い結合部２５の状態を見ることができるように、透明なプラスチック材料でできている。
【００３８】
好適には、飲用容器１１の足部１９及び平行部３９並びにビン１３の下部４７全てが、ほぼ同じ直径を有していて、液体包装製品１０の積み重ね又はマルチパックをし易くなっている。
【００３９】
このような液体包装製品１０は、開けたときにその不正開封防止シールがビン１３から離れないという利点を有しており、製品１０のエンドユーザにとってより便利であり、不正開封防止シール又はリング２３がゴミとして落ちる可能性を減らす。また、不正開封防止シールを飲用容器１１に設けると、製品１０の組み立てに要する工程の数を減らし、製造コストを下げるのに役立ち、さらには、製品１０のエンドユーザが製品１０を開けるときに飲用容器１１を捻って開ける以外の余計な作業を行わなくてもよい。
【００４０】
実施例２
図５、図５ａ、図６及び図７を参照すると、代替的な飲用容器７１及び代替的なビン７３を具える飲料包装製品７０の第２の実施例を示す。飲料包装製品１０の第１の実施例と飲料包装製品７０の第２の実施例との間の主要な差異は、代替的な飲用容器７１の飲用容器ベース７５と飲用容器本体７７との間の結合部である。
【００４１】
このような第２の実施例では、飲用容器ベース７５を機械的な結合部を用いて飲用容器本体７７に結合する。このような構造は、異種の材料を接着又は溶接することが時として難しいという事実によって生じ、上記のような理由によって、飲用容器７１の各部品で異なるプラスチック材料を使用する必要性が時としてある。例えば、あるケースでは、ベース７５にポリプロピレンプラスチックを使用し、本体７７に透明なスチレンを使用するのが望ましい。
【００４２】
このようなケースにおける機械的な結合部は、飲用容器ベース７５と飲用容器本体７７との間の締まり嵌めと、これらの２つの部材の他方に形成された凹部に係合するよう構成された、２つの部品の一方の突起部材又は固定タブによって形成されている。この例では、固定タブ７９が飲用容器本体７７の首部８１の内径の周りに形成され、凹部８３が飲用容器ベース７５のネジ部８５の外径の周りに形成されている。
【００４３】
図面は、飲用容器本体７７及び飲用容器ベース７５の内径及び外形の周囲にそれぞれ配置された一連の固定タブ７９及び凹部８３を示すが、固定タブ７９又は凹部８３を、飲用容器本体７７及び飲用容器ベース７７の内径及び外径を全体的又は部分的に延びる単一の固定リップ及び対応する単一の固定凹部で置き換えることができる。しかしながら、複数の別々の固定タブ７９及び凹部８３が、ベース７５と本体７７との間の回転を防止するのに役立ち、それらがより大きな柔軟性を持つことが可能である、という２つの利点を有することに留意されたい。部品の柔軟性は、本体７７の首部８１が上記のようにベース７５の上に嵌る際に僅かに伸びる必要があるように、組み立ての際のファクターとなる。
【００４４】
図５では、先細状の肩部８７を有する飲用容器ベース７５のネジ部８５の外面が見受けられる。同様に、図６において、タブ７９の一端が面取りされていることが見受けられる。飲用容器本体７７を飲用容器ベース７５に嵌めた場合に、タブ７９の面取りされた端部が先細状の肩部８７に接触でき、タブ７９が凹部８３に係合して入る前にタブ７９が凹部８３の領域におけるネジ部８５の外面の僅かに大きな直径部分の上を摺動し易くなる。タブ７９が凹部８３に係合して入ると、飲用容器本体７７を飲用容器ベース７５に機械的に締結する。
【００４５】
このような機械的な結合部によって溶接又は接着する必要性を取り除くことができ、飲用容器ベース７５及び飲用容器本体７７に異なる材料を使用する場合及び溶接が難しい場合の適用に適している。
【００４６】
飲用容器ベース７５と飲用容器本体７７との間の結合部の周りの漏れを防止し易くするために、これらの２つの部品をきつく整合してシールを形成するよう構成することができる。このような例では、飲用容器本体７７の首部８１の自由端の内径８９は、飲用容器ベース７５のネジ部８５の外面の浅いテーパ９１と締まり嵌めを形成するような大きさとなっており、漏れ防止シールを形成する。
【００４７】
リブ状の案内部９３をベース７５のネジ部８５の外径に設けて、飲用容器７１を組み立て易くすることができる。組み立ての際に、容器本体７７をベース７５に導入するときに、本体７７を、固定タブ７９の１つがリブ状の案内部９３に隣接するまで軽く回転させてから、固定タブ７９が凹部８３に適切に係合するように、本体７７を整合状態でベース７５に導くことができる。
【００４８】
変更
飲料の包装との関連で液体包装製品を説明したが、包装製品を他の液体、例えば薬品用に同様に構成することができる。このようなケースでは、飲用容器がマークを有して投与量を表示できる。
【００４９】
定義
本明細書全体を通して、「具える」及び「具えている」といった「具える」という用語及びこの用語の変形は、他の追加物、部品、数又は工程を排除することを意図するものではない。
【００５０】
利点
このような飲用容器は、飲用容器を嵌めたビンが開けられ又は不正に改ざんされたという証拠を与えることができるという利点を有するにもかかわらず、不正開封防止装置、すなわち壊し易い結合部を飲用容器と別々にビンから取り外す必要が無い。また、この不正開封防止装置は、ビンに残ることができ、ユーザが他の部品に触れて捨てる必要性が無い。これらの利点は、特に飛行機、船又は電車で食事するような状況で明らかである。
【図面の簡単な説明】
【００５１】
【図１】図１は、飲用容器ベースの側面図である。
【図１ａ】図１ａは、飲用容器ベースの断面図である。
【図２】図２は、飲用容器本体の断面図である。
【図３】図３は、飲用容器との使用に適合したビンの側面図である。
【図４】図４は、ビンに取り付けられた飲用容器を示す断面図である。
【図５】図５は、代替的な飲用容器ベースの側面図である。
【図５】図５ａは、代替的な飲用容器ベースの断面図である。
【図６】図６は、代替的な飲用容器ベースとともに使用するための代替的な飲用容器本体の断面図である。
【図７】図７は、ビンに取り付けられた代替的な飲用容器を示す断面図である。
【図１】
2008529905.tif 000003
【図１ａ】
2008529905.tif 000004
【図２】
2008529905.tif 000005
【図３】
2008529905.tif 000006
【図４】
2008529905.tif 000007
【図５】
2008529905.tif 000008
【図５ａ】
2008529905.tif 000009
【図６】
2008529905.tif 000010
【図７】
2008529905.tif 000011
【国際調査報告】
2008529905.tif 000012
2008529905.tif 000013
2008529905.tif 000014